(57)【要約】【課題】肥料の三要素の施肥量を変更することなく、水稲の背丈の伸びを促進して稲を生育させ、稲穂を長くして１つの穂に多くの籾を実らせる手段を提供すること。【解決手段】みりんを利用して水稲栽培用水の直接還元糖濃度とクエン酸濃度とを調整することにより背丈の伸びを促進しながら稲を生長させる。本発明に係る水稲栽培用水は、水にみりんを添加して直接還元糖濃度を２２〜４４０ｍｇ／１００ｍＬ、クエン酸濃度を０．００８〜０．１５ｍｇ／１００ｍＬの範囲に調整した水溶液であることを特徴とする。【選択図】図１
2015193487.tif 000002
【特許請求の範囲】
【請求項１】
水にみりんを添加した水溶液であって、直接還元糖濃度を２２〜４４０ｍｇ／１００ｍＬ、クエン酸濃度を０．００８〜０．１５ｍｇ／１００ｍＬの範囲に調整したことを特徴とする水稲栽培用水。
【請求項２】
前記水は純水であることを特徴とする請求項１に記載の水稲栽培用水。
【請求項３】
水にみりんを添加して直接還元糖濃度を２２〜４４０ｍｇ／１００ｍＬ、クエン酸濃度を０．００８〜０．１５ｍｇ／１００ｍＬの範囲に調整した水溶液からなる稲栽培用水を水稲が生長している水田へ供給する給水工程と、
前記水稲栽培用水を前記水田に湛水した状態を維持する湛水工程と、
を備えることを特徴とする水稲の栽培方法。
【請求項４】
前記湛水工程は田植え直後から稲刈り直前まで続けられることを特徴とする請求項３に記載の水稲の栽培方法。
【発明の詳細な説明】
【技術分野】
【０００１】
本発明は、水稲の栽培用水および水稲の栽培方法に関する。
【背景技術】
【０００２】
長く続いた減反政策の廃止が叫ばれ、更に米に係る関税が撤廃される可能性が少なくない将来には、外国産の安価な米が日本国内へ大量に輸入され、日本国内産の米同士でも販売競争が激化することが予想される。これに対処するためには、日本における米の生産コストを更に低減することが必要であり、水田単位面積当たりの米の収量を増加させることが重要になる。
【０００３】
水田単位面積当たりの米の収量を増加させるためには、水稲の１株当たりの稲穂数を増やすことと同時に、１穂当たりの籾数を増やすことも重要である。水稲の背丈を伸ばすとそれにつれて実る穂の長さ（穂長）も長くなり、1穂当たりの籾数が増えることにつながる。
【０００４】
従来、水稲の生長を調整する方法は、肥料の三要素（窒素、リン、カリウム）を中心とした施肥の量と時期を工夫することが知られている。特に、窒素は茎数の増加や背丈の伸長に与える影響が大きい。
【０００５】
例えば、特許文献１には、増収を計るために元肥に加えて追肥を施肥する稲作の施肥方法が記載されている。
【先行技術文献】
【特許文献】
【０００６】
【特許文献１】特公平０６−０５７０８６号公報
【発明の概要】
【発明が解決しようとする課題】
【０００７】
稲の背丈を伸ばすために肥料の三要素である窒素、リン、カリウムの施肥量をむやみに増加すると、そのこと自体が米の収量、品質、食味の低下を招く別な原因となってしまうことが少なくない。窒素やカリウムを過剰に施用すると米の食味が悪化することはよく知られている。
【０００８】
そこで、本発明は肥料の三要素の施肥量を変更することなく、水稲の背丈の伸びを促進して稲を生育させ、稲穂を長くして１つの穂に多くの籾を実らせる手段を提供することを目的とする。
【課題を解決するための手段】
【０００９】
上記目的を達成するために、本発明者らは鋭意研究を重ねた結果、みりんを利用して水稲栽培用水の直接還元糖濃度とクエン酸濃度とを調整することにより背丈の伸びを促進しながら稲を生長させることを見出し本発明の完成に至った。本発明に係る水稲栽培用水は、水にみりんを添加した水溶液であって、直接還元糖濃度を２２〜４４０ｍｇ／１００ｍＬ、クエン酸濃度を０．００８〜０．１５ｍｇ／１００ｍＬの範囲に調整したことを特徴とする。
【００１０】
本発明に係る水稲栽培用水によれば、肥料の三要素の施肥量を変更することなく、水稲の背丈の伸びを促進することができる。これにより、水稲の稲穂は長くなって１つの穂に多くの籾が実る。水稲は基本的に自ら光合成で生成する糖を使って生長するが、みりんに含まれる直接還元糖が水稲栽培用水に存在すればこの直接還元糖も根から吸収して生長に活用するので、水稲の生長は促進される。但し、水稲栽培用水に直接還元糖が存在するだけでは、水稲栽培用水中や土壌に生息する微生物が直接還元糖を餌にして増殖し水稲の生長を阻害する結果となる。ここで、みりんに含まれるクエン酸が水稲栽培用水に共存すると微生物の活動を抑制する作用を奏するので、微生物による生長への悪影響を抑えつつ水稲の生長促進が実現される。更に、クエン酸の存在は土壌に含まれるく溶性の肥料成分が根によって吸収されやすくする点からも、水稲の生長が促進されることに寄与する。
【００１１】
さらに、本発明に係る水稲栽培用水では、みりんを添加する水が純水であることも好ましい。みりんに含まれている成分のバランスを維持したまま希釈することができて、水稲の背丈の伸びを促進する作用がいつも同じ状態に保たれるので、水稲の背丈の調整をより正確に行うことができる。
【００１２】
上記目的を達成するために、本発明に係る水稲の栽培方法は、水にみりんを添加して直接還元糖濃度を２２〜４４０ｍｇ／１００ｍＬ、クエン酸濃度を０．００８〜０．１５ｍｇ／１００ｍＬの範囲に調整した水溶液からなる稲栽培用水を水稲が生長している水田へ供給する給水工程と、水稲栽培用水を水田に湛水した状態を維持する湛水工程と、を備えることを特徴とする。
【００１３】
本発明に係る水稲栽培用水によれば、肥料の三要素の施肥量を変更することなく、水稲の背丈の伸びを促進することができる。これにより、水稲の稲穂は長くなって１つの穂に多くの籾が実る。
【００１４】
さらに、本発明に係る水稲の栽培方法では、湛水工程が田植え直後から稲刈り直前まで続けられることも好ましい。田植え直後から稲刈り直前までの全期間で確実に水稲の背丈の伸びが促進された状態を維持することができる。
【発明の効果】
【００１５】
本発明によれば、肥料の三要素の施肥量を変更することなく、水稲の稲穂を長くして１つの穂に多くの籾を実らせることができる。
【図面の簡単な説明】
【００１６】
【図１】本発明の実施例１に係る水稲の栽培方法による水稲の背丈の変化を示す図である。
【図２】本発明の実施例２に係る水稲の栽培方法による水稲の背丈の変化を示す図である。
【図３】本発明の実施例３に係る水稲の栽培方法による水稲の背丈の変化を示す図である。
【図４】本発明の実施例４に係る水稲の栽培方法による水稲の背丈の変化を示す図である。
【図５】本発明の実施例５に係る水稲の栽培方法による水稲の背丈の変化を示す図である。
【図６】比較例１に係る水稲の栽培方法による水稲の背丈の変化を示す図である。
【図７】比較例２に係る水稲の栽培方法による水稲の背丈の変化を示す図である。
【図８】比較例３に係る水稲の栽培方法による水稲の背丈の変化を示す図である。
【図９】比較例４に係る水稲の栽培方法による水稲の背丈の変化を示す図である。
【発明を実施するための最良の形態】
【００１７】
本発明の知見は、例示のみのために示された添付図面を参照して以下の詳細な記述を考慮することによって容易に理解することができる。添付図面に示す実施形態に基づき本発明を説明する。可能な場合には、同一の部分には同一の符号を付して、重複する説明を省略する。
【００１８】
本発明が対象とする水稲は、特に限定されないが、主食用の水稲品種の栽培に好適である。農家が実際に稲作を行う水田圃場における栽培にも、人工的に設ける小規模な水田における栽培にも本発明を適用することができる。
【００１９】
本発明で用いられるみりんは、酒税法でみりんと分類されている混成酒類を指し、通称本みりんと呼ばれているものが対象である。類似するみりん風調味料（アルコール度数１％未満）や発酵調味料（加塩や加酢で不可飲処理された料理酒）は含まれない。
【００２０】
以下に、本発明について実証を行った実施例と比較例を示し、本発明の説明を続ける。但し、本発明はこれら実施例に限定されない。
【００２１】
最初に、実施例と比較例とで共通する実験条件を述べる。栽培用水が異なる環境で複数の水稲の栽培を行い、生長に伴う背丈の変化の様子、刈取り時点における穂長の平均、及び１穂当たりの籾数を比較した。一端が全面開口し他方が全面閉じている筒状の容器９つを準備した。この容器１〜９の開口直径は３４０ｍｍ、容量は２０Ｌであった。容器１〜９の各々の中へ土壌としてのセメント用砂を１２Ｌ入れ、その後、後述する実施例と比較例に記載するように、容器毎に設定された水質の異なる水をセメント用砂の表面が水で浸るまで供給した。実施例と比較例では、土壌を収容した容器１〜９が、本発明における「水田」に相当する。そして、この容器１〜９への水の供給作業は、本発明の水稲の栽培方法における「稲栽培用水を水稲が生長している水田へ供給する給水工程」に相当する。
【００２２】
更に肥料として、しんせいの風（登録商標）Ｌ５００（Ｎ：Ｐ：Ｋ＝１５：１０：１０）を１．８ｇ／容器、大地の絆（ケイ酸・リン酸・苦土・アルカリが混ざった土づくり肥料）を４．５ｇ／容器、ペレット大地（牛糞、豚糞等の完熟堆肥を混合してペレット化したもの）を４．５ｇ／容器、を容器１〜９のセメント用砂の上にふりかけ、セメント用砂と肥料を十分に攪拌して肥料をセメント用砂の中に分散させて土壌を完成させた。いずれの肥料もＪＡ秋田しんせい製である。容器１〜９は、肥料の三要素（窒素、リン、カリウム）の施肥量が同じ条件である。
【００２３】
その後、水田圃場に６００ｍｍ間隔で容器１〜９の外径に合致した大きさの穴を９つ掘り、水田圃場における土壌表面高さと容器１〜９内部の土壌表面の高さとがほぼ一致するように、容器１〜９の各々を水田圃場の穴へ埋め込んで設置した。容器１〜９は直線状に６００ｍｍ間隔で並び、９つとも同じ日当たりの条件であった。
【００２４】
容器１〜９の開口端面は常に水田圃場の湛水の水位よりも高い位置であり、容器１〜９の内側は水田圃場から区切られ、水田圃場の湛水が容器１〜９の内部に流入することはない状態とした。
【００２５】
６月７日に容器１〜９の土壌表面の中央へ一斉に水稲（品種ひとめぼれ）の苗３株を１つにまとめて植付けして栽培を開始した。しばらく苗が生長するのを待ち、葉の上端の高さが容器１〜９の開口端面の高さを超えた６月１７日に容器１〜９の開口端面へ蓋を取り付け、開口の大部分を覆って雨水が容器１〜９の内部に入り込むのを低減する構成とした。この蓋の中央には直径６０ｍｍの貫通孔が設けられており、水稲は貫通孔を通って容器１〜９の上方へ突出して生長を続けた。
【００２６】
雨水により容器１〜９内部の水位が上昇した場合には、容器１〜９の全てについて土壌表面に溜まっている水を排出した後、容器毎に設定された水質の異なる水を新たに用水として供給して水を入れ替えし、そのまま容器１〜９内部の土壌表面が各々設定された水質の水で覆われた状態を継続した。この水の入れ替え作業も、前述した栽培開始時点での容器への水の供給作業と同様に、本発明の水稲の栽培方法における「稲栽培用水を水稲が生長している水田へ供給する給水工程」に相当する。そして、容器内部の土壌表面を設定された水質の水で覆われた状態に継続することは、本発明の水稲の栽培方法における「水稲栽培用水を水田に湛水した状態を維持する湛水工程」に相当する。
【００２７】
更に、蒸発により容器１〜９内部の水が減少した場合には、容器毎に設定された水質の異なる水を用水として注ぎ足し、容器内部の水位を所定の位置まで戻した。この水の注ぎ足し作業も、本発明の水稲の栽培方法における「稲栽培用水を水稲が生長している水田へ供給する給水工程」に相当する。
【００２８】
水の入れ替え作業と水の注ぎ足し作業を適宜行いながら容器内部の土壌表面を設定された水質の水で覆い続けて稲の生長の観察を続け、６月２５日、７月１６日、８月７日、８月２９日、９月１７日、１０月３日に水稲の背丈を測定し、１０月１８日に刈取りした。これは田植え直後から稲刈り直前まで「稲栽培用水を水稲が生長している水田へ供給する給水工程」を適宜繰り返しながら「水稲栽培用水を水田に湛水した状態を維持する湛水工程」が継続されたことに相当する。
【００２９】
水稲の背丈については、稲の全ての葉の先端を鉛直上方に持ち上げた状態で一番高くなる葉の先端を選び、鉛直上方に持ち上げた状態でその先端の高さを各容器の土壌表面高さを基準として測定し、各容器における稲の背丈の値とした。この各容器における水稲の生長に伴う背丈の変化の様子、刈取り時点における穂長の平均、及び１穂当たりの籾数を比較して、本発明の水稲栽培用水および水稲の栽培方法の作用効果を確認した。
【実施例】
【００３０】
（実施例１）実施例１では、容器１内を満たす水稲栽培用水として水にみりんを添加してみりんを１０００倍に希釈した水溶液を用いた。この水溶液は本発明の水稲栽培用水に相当する。実施例１ではイオン株式会社が販売するトップバリュ本みりんを使用した。当該水溶液中の化学成分濃度を測定すると、直接還元糖濃度は４４ｍｇ／１００ｍＬ、クエン酸濃度は０．０１５ｍｇ／１００ｍＬであった。実施例１における稲の生長に伴う背丈の変化の様子を図１に示す。１０月１８日の刈取りまで生長が続き、稲穂が実った。表１に刈取り時点における実施例１の穂長の平均と１穂当たりの籾数を示す。実施例１ではみりんを添加する水として純水（蒸留水）を使用した。
【００３１】
【表１】
2015193487.tif 000003
【００３２】
（実施例２）実施例２では、容器２内を満たす水稲栽培用水として水にみりんを添加してみりんを２０００倍に希釈した水溶液を用いた。この水溶液は本発明の水稲栽培用水に相当する。実施例１と同じように実施例２でもイオン株式会社が販売するトップバリュ本みりんを使用した。当該水溶液中の化学成分濃度を測定すると、直接還元糖濃度は２２ｍｇ／１００ｍＬ、クエン酸濃度は０．００８ｍｇ／１００ｍＬであった。実施例２における稲の生長に伴う背丈の変化の様子を図２に示す。１０月１８日の刈取りまで生長が続き、稲穂が実った。表１に刈取り時点における実施例２の穂長の平均と１穂当たりの籾数を示す。実施例２でもみりんを添加する水として純水（蒸留水）を使用した。
【００３３】
（実施例３）実施例３では、容器３内を満たす水稲栽培用水として水にみりんを添加してみりんを１００倍に希釈した水溶液を用いた。この水溶液は本発明の水稲栽培用水に相当する。実施例１と同じように実施例３でもイオン株式会社が販売するトップバリュ本みりんを使用した。当該水溶液中の化学成分濃度を測定すると、直接還元糖濃度は４４０ｍｇ／１００ｍＬ、クエン酸濃度は０．１５ｍｇ／１００ｍＬであった。実施例３における稲の生長に伴う背丈の変化の様子を図３に示す。１０月１８日の刈取りまで生長が続き、稲穂が実った。表１に刈取り時点における実施例３の穂長の平均と１穂当たりの籾数を示す。実施例３でもみりんを添加する水として純水（蒸留水）を使用した。
【００３４】
（実施例４）実施例４では、容器４内を満たす水稲栽培用水として水にみりんを添加して実施例１と同じようにみりんを１０００倍に希釈した水溶液を用いた。この水溶液は本発明の水稲栽培用水に相当する。実施例４では宝酒造株式会社が販売するタカラ本みりんを使用した。当該水溶液中の化学成分濃度を測定すると、直接還元糖濃度は４３．２ｍｇ／１００ｍＬ、クエン酸濃度は０．０１４ｍｇ／１００ｍＬであった。実施例４における稲の生長に伴う背丈の変化の様子を図４に示す。１０月１８日の刈取りまで生長が続き、稲穂が実った。表１に刈取り時点における実施例４の穂長の平均と１穂当たりの籾数を示す。実施例４でもみりんを添加する水として純水（蒸留水）を使用した。
【００３５】
（実施例５）実施例５では、容器５内を満たす水稲栽培用水として水にみりんを添加して実施例１と同じようにみりんを１０００倍に希釈した水溶液を用いた。この水溶液は本発明の水稲栽培用水に相当する。実施例５では株式会社ミツカンが販売するミツカン本みりんを使用した。当該水溶液中の化学成分濃度を測定すると、直接還元糖濃度は４４．７ｍｇ／１００ｍＬ、クエン酸濃度は０．０１６ｍｇ／１００ｍＬであった。実施例４における稲の生長に伴う背丈の変化の様子を図５に示す。１０月１８日の刈取りまで生長が続き、稲穂が実った。表１に刈取り時点における実施例５の穂長の平均と１穂当たりの籾数を示す。実施例５でもみりんを添加する水として純水（蒸留水）を使用した。
【００３６】
（比較例１）比較例１では、容器６内を満たす水稲栽培用水として純水（蒸留水）を用いた。比較例１における稲の生長に伴う背丈の変化の様子を図６に示す。１０月１８日の刈取りまで生長が続き、稲穂が実った。表１に刈取り時点における比較例１の穂長の平均と１穂当たりの籾数を示す。
【００３７】
（比較例２）比較例２では、容器７内を満たす水稲栽培用水として水道水を用いた。比較例２における稲の生長に伴う背丈の変化の様子を図７に示す。１０月１８日の刈取りまで生長が続き、稲穂が実った。表１に刈取り時点における比較例２の穂長の平均と１穂当たりの籾数を示す。
【００３８】
（比較例３）比較例３では、容器８内を満たす水稲栽培用水として水にみりんを添加してみりんを１００００倍に希釈した水溶液を用いた。この水溶液は本発明の水稲栽培用水に相当する。実施例１と同じように比較例３でもイオン株式会社が販売するトップバリュ本みりんを使用した。当該水溶液中の化学成分濃度を測定すると、直接還元糖濃度は４ｍｇ／１００ｍＬ、クエン酸濃度は０．００２ｍｇ／１００ｍＬであった。比較例３における稲の生長に伴う背丈の変化の様子を図８に示す。１０月１８日の刈取りまで生長が続き、稲穂が実った。表１に刈取り時点における比較例３の穂長の平均と１穂当たりの籾数を示す。比較例３でもみりんを添加する水として純水（蒸留水）を使用した。
【００３９】
（比較例４）比較例４では、容器９内を満たす水稲栽培用水として水にみりんを添加してみりんを２０倍に希釈した水溶液を用いた。この水溶液は本発明の水稲栽培用水に相当する。実施例１と同じように比較例４でもイオン株式会社が販売するトップバリュ本みりんを使用した。当該水溶液中の化学成分濃度を測定すると、直接還元糖濃度は２１５０ｍｇ／１００ｍＬ、クエン酸濃度は０．７ｍｇ／１００ｍＬであった。比較例４における稲の生長に伴う背丈の変化の様子を図９に示す。６月２５日に測定した後、植付けから１ヶ月後の７月７日には稲が枯死したことを確認した。比較例４でもみりんを添加する水として純水（蒸留水）を使用した。
【００４０】
図１〜７より、測定の初回６月２５日では実施例１〜５と比較例１〜２の水稲の背丈が同等であったが、２回目以降の測定日では明らかに実施例１〜５の水稲の背丈が伸びている。加えて、比較例１〜２では３回目の測定８月７日をピークに以降は水稲の背丈が低くなっているのに対して、実施例１〜５では１０月に向かって水稲の背丈は伸び続けた。
【００４１】
これより、水にみりんを添加して直接還元糖濃度を２２〜４４０ｍｇ／１００ｍＬ、クエン酸濃度を０．００８〜０．１５ｍｇ／１００ｍＬの範囲に調整した水稲栽培用水を用いて、田植え直後から稲刈り直前まで「稲栽培用水を水稲が生長している水田へ供給する給水工程」を適宜繰り返しながら「水稲栽培用水を水田に湛水した状態を維持する湛水工程」が継続された実施例１〜５における水稲の背丈の伸びは、水にみりんを添加した水溶液ではない水稲栽培用水を用いた比較例１〜２における水稲の背丈の伸びよりも促進されていると判断できる。そして、水稲の背丈の伸びが促進された状態は田植え直後から稲刈り直前までの全期間で確実に維持されている。
【００４２】
その結果、表１に示されるように、水稲の背丈が最も伸びた実施例１〜５の穂長の平均値は比較例１〜２を上回り、それに伴って１穂当たりの籾数も実施例１〜５が多くなった。
【００４３】
一方、図８に示されるように、結果的にみりんの希釈が過剰となった比較例３では、生育の促進効果が不十分で１穂当たりの籾数は比較例１〜２を上回ることができなかった。また、図９に示されるように、みりんの希釈が不十分であった比較例４では直接還元糖濃度が高くなりすぎて容器９内を満たす水稲栽培用水や土壌に微生物が過剰に増殖して途中で水稲が枯死してしまった。
【００４４】
実施例１〜５はみりんを添加する水として純水（蒸留水）を用いている。これにより、みりんに含まれている成分のバランスを維持したまま希釈の程度を精度よく調整でき、水稲の背丈の伸びの抑制度合を調整することの実現が実施例１〜５の違いに示されている。
【００４５】
実施例１〜５の水稲の栽培方法は、水にみりんを添加して直接還元糖濃度を２２〜４４０ｍｇ／１００ｍＬ、クエン酸濃度を０．００８〜０．１５ｍｇ／１００ｍＬの範囲に調整した水溶液からなる稲栽培用水を水稲が生長している水田へ供給する給水工程と、水稲栽培用水を水田に湛水した状態を維持する湛水工程と、を備えている。これにより、肥料の三要素の施肥量を変更することなく、水稲の背丈の伸びを促進して、水稲の稲穂が長くなり１つの穂に多くの籾が実った。水稲は基本的に自ら光合成で生成する糖を使って生長するが、みりんに含まれる直接還元糖が水稲栽培用水に存在すればこの直接還元糖も根から吸収して生長に活用するので、水稲の生長は促進される。但し、水稲栽培用水に直接還元糖が存在するだけでは、水稲栽培用水中や土壌に生息する微生物が直接還元糖を餌にして増殖し水稲の生長を阻害する結果となる。ここで、みりんに含まれるクエン酸が水稲栽培用水に共存すると微生物の活動を抑制する作用を奏するので、微生物による生長への悪影響を抑えつつ水稲の生長促進が実現される。更に、クエン酸の存在は土壌に含まれるく溶性の肥料成分が根によって吸収されやすくする点からも、水稲の生長が促進されることに寄与する。
【００４６】
そして、実施例１〜５の水稲の栽培方法は、水稲栽培用水を水田に湛水した状態を維持する湛水工程が田植え直後から稲刈り直前まで続けられた。これにより、比較例と比べて田植え直後から稲刈り直前までの全期間で確実に水稲の背丈の伸びを促進した状態が維持されていた。
【００４７】
また、実施例１〜５の水稲栽培用水は、水にみりんを添加して直接還元糖濃度を２２〜４４０ｍｇ／１００ｍＬ、クエン酸濃度を０．００８〜０．１５ｍｇ／１００ｍＬの範囲に調整した水溶液である。これにより、肥料の三要素の施肥量を変更することなく、水稲の背丈の伸びを促進して、水稲の稲穂が長くなり１つの穂に多くの籾が実った。
【００４８】
更に、実施例１〜５の水稲栽培用水は、みりんを添加する水として純水（蒸留水）を使用した。これにより、みりんに含まれている成分のバランスを維持したまま希釈することができて、背丈の伸びを抑制する作用がいつも同じ状態に保たれるので、水稲の背丈の調整をより正確に行うことができる。
【００４９】
なお、本発明は述べてきた実施形態に限定されるものではなく、その技術的思想から逸脱しない範囲で同様な作用効果を奏する他の形態へ適宜変更することができる。例えば、本実施例では容器１〜９という人工的に設けた小規模な水田における栽培例を通じて本発明を説明したが、農家が実際に稲作を行う水田圃場でも本発明の同様な作用効果を奏することができる。更に、水稲品種ひとめぼれへの適用を題材として本発明を説明してきたが、他の主食用の水稲品種や加工用、飼料用の水稲品種に本発明を適用しても構わない。
【産業上の利用可能性】
【００５０】
水稲に多くの籾を実らせる本発明は、水稲の栽培に幅広く利用可能である。
【符号の説明】
【００５１】
１、２、３、４、５、６、７、８、９    容器
【図１】
2015193487.tif 000004
【図２】
2015193487.tif 000005
【図３】
2015193487.tif 000006
【図４】
2015193487.tif 000007
【図５】
2015193487.tif 000008
【図６】
2015193487.tif 000009
【図７】
2015193487.tif 000010
【図８】
2015193487.tif 000011
【図９】
2015193487.tif 000012